(57)【要約】【課題】水での希釈による増粘が抑制され、優れた洗浄力を発現する洗浄剤組成物を提供する。【解決手段】界面活性剤を５０質量％を超えて含有する洗浄剤組成物であって、界面活性剤として、カルボキシル基を有し且つ該カルボキシル基が未中和である界面活性剤（Ａ）を含有し、全界面活性剤中、前記界面活性剤（Ａ）の割合が７０質量％以上である、洗浄剤組成物。【選択図】なし【特許請求の範囲】
【請求項１】
界面活性剤を５０質量％を超えて含有する洗浄剤組成物であって、
界面活性剤として、カルボキシル基を有し且つ該カルボキシル基が未中和である界面活性剤（Ａ）を含有し、
全界面活性剤中、前記界面活性剤（Ａ）の割合が７０質量％以上である、
洗浄剤組成物。
【請求項２】
界面活性剤（Ａ）が、エーテルカルボン酸、不飽和脂肪酸、及び分岐鎖脂肪酸から選ばれる１種以上である、請求項１記載の洗浄剤組成物。
【請求項３】
界面活性剤（Ａ）が、下記一般式（Ａ１）で表されるエーテルカルボン酸である、請求項２又は３記載の洗浄剤組成物。
ＲＯ（ＡＯ）ｍ（ＣＨ２）ｎＣＯＯＨ      （Ａ１）
〔式中、Ｒは、炭素数４以上２２以下の炭化水素基であり、ＡＯは炭素数２以上４以下のアルキレンオキシ基であり、ｍは０以上２０以下の数であり、ｎは１以上３以下の数である。〕
【請求項４】
組成物中、界面活性剤（Ａ）を４０質量％以上含有する、請求項１〜３の何れか１項記載の洗浄剤組成物。
【請求項５】
水の含有量が３０質量％以下である、請求項１〜４の何れか１項記載の洗浄剤組成物。
【請求項６】
洗浄剤組成物の２５℃での粘度が、２０ｍＰａ・ｓ以上２０００ｍＰａ・ｓ以下である、請求項１〜５の何れか１項記載の洗浄剤組成物。
【請求項７】
界面活性剤を含有する洗浄剤組成物の製造方法であって、
界面活性剤を、全配合成分中、５０質量％を超える量で配合し、
界面活性剤として、カルボキシル基を有し且つ該カルボキシル基が未中和である界面活性剤（Ａ）を、全界面活性剤中、７０質量％以上の割合で配合する、
洗浄剤組成物の製造方法。
【請求項８】
請求項１〜６の何れか１項記載の洗浄剤組成物を汚れに直接塗布し、その後、水ですすぐ、洗浄方法。
【発明の詳細な説明】
【技術分野】
【０００１】
本発明は、洗浄剤組成物、洗浄剤組成物の製造方法、及び洗浄方法に関する。
【背景技術】
【０００２】
界面活性剤を含有する洗浄剤組成物として、従来の洗浄剤組成物よりも界面活性剤濃度が高い、いわゆる濃縮タイプの洗浄剤組成物が知られている。濃縮タイプである場合、洗浄剤組成物自身のサイズを小さくすることができることから、容器樹脂量の削減、輸送費の削減、使用後のゴミの削減等ができるようになり、環境に対する負荷を低減させるのに非常に有効であると考えられる。また、洗浄剤組成物を、衣料、食器などの汚れに直接塗布して洗浄することが知られている。
【０００３】
特許文献１には、少なくとも７５％の実質的に完全に中和されたアニオン性硫酸化界面活性剤と、５％〜２５％のカルボン酸であって、カルボン酸の４％〜９６％がその遊離酸の形態であるカルボン酸とを含む、界面活性剤濃縮物が記載されている。
特許文献２には、特定構造のポリオキシエチレンアルキルエーテル酢酸を、アルカリ金属、アルカリ土類金属、アンモニア又はアルカノールアミンにより、中和率３０〜７０％に中和したポリオキシエチレンアルキルエーテル酢酸塩を含有する洗浄剤組成物が記載されている。
特許文献３には、Ｎ−長鎖脂肪酸アシルアミノ酸塩を４．０〜２０．０重量％、多価アルコール及びその誘導体を１５．０〜７０．０重量％、液状脂肪酸を５．０〜３０．０重量％、水分を１０．０〜５０．０重量％、常温で液状若しくはペースト状の油分を５．０〜３５．０重量％含有してなる、クレンジング組成物が記載されている。
【先行技術文献】
【特許文献】
【０００４】
【特許文献１】特表２０１１−５２１０９７号公報
【特許文献２】特開平５−１１２７９５号公報
【特許文献３】特開２００２−２１２０３１号公報
【発明の概要】
【発明が解決しようとする課題】
【０００５】
濃縮タイプの洗浄剤組成物は、直接汚れに塗布する塗布洗浄にも使用できるが、通常は、塗布後の物品は、引き続き過剰の水を用いた洗浄に供される。例えば、衣料の襟、袖口などの汚れた部分に濃縮タイプの洗浄剤組成物を塗布した後、その衣料をそのまま洗濯に供することが多い。
【０００６】
しかしながら、濃縮タイプの洗浄剤組成物が水と接触すると、増粘して十分に水中に分散されない場合があることが判明した。例えば、洗浄剤組成物が塗布された衣料を、洗濯機に投入して自動的に水を洗濯槽に添加していくような態様では、前記衣料の塗布部分における希釈濃度は段階的に増えていくため、希釈濃度に分布が生じる。一般的に界面活性剤を含む洗浄剤組成物は、中程度の濃度（水分含量３０〜５０％）において増粘することが知られており、前記衣料に水を加えるとき、局所的に増粘が生じることがある。このように、局所的に増粘した洗浄剤組成物は、水中への分散が困難となる。物品に塗布された洗浄剤組成物は、水を用いた洗浄においても洗浄成分として機能させることが期待できるため、希釈により速やかに水中に分散されることが望ましい。
【０００７】
本発明は、水での希釈による増粘が抑制され、優れた洗浄力を発現する洗浄剤組成物を提供する。
【課題を解決するための手段】
【０００８】
本発明は、界面活性剤を５０質量％を超えて含有する洗浄剤組成物であって、
界面活性剤として、カルボキシル基を有し且つ該カルボキシル基が未中和である界面活性剤（Ａ）を含有し、
全界面活性剤中、前記界面活性剤（Ａ）の割合が７０質量％以上である、
洗浄剤組成物に関する。
【０００９】
また、本発明は、界面活性剤を含有する洗浄剤組成物の製造方法であって、
界面活性剤を、全配合成分中、５０質量％を超える量で配合し、
界面活性剤として、カルボキシル基を有し且つ該カルボキシル基が未中和である界面活性剤（Ａ）を、全界面活性剤中、７０質量％以上の割合で配合する、
洗浄剤組成物の製造方法に関する。
【００１０】
また、本発明は、前記本発明の洗浄剤組成物を汚れに直接塗布し、その後、水ですすぐ、洗浄方法に関する。
【発明の効果】
【００１１】
本発明によれば、水での希釈による増粘が抑制され、優れた洗浄力を発現する洗浄剤組成物が提供される。
【発明を実施するための形態】
【００１２】
＜洗浄剤組成物＞
本発明の洗浄剤組成物は、界面活性剤を、組成物中、５０質量％を超えて含有し、界面活性剤として、カルボキシル基を有し且つ該カルボキシル基が未中和である界面活性剤（Ａ）を含有し、全界面活性剤中、前記界面活性剤（Ａ）の割合が７０質量％以上である。
【００１３】
本発明は、界面活性剤（Ａ）は、中和された構造の化合物よりも相対的に界面活性能は低いが、脂溶性汚れなどに対しては溶剤のように機能して優れた洗浄力が発現し、且つ水と接触しても増粘が適度に抑えられることを見出したものである。本発明では、界面活性剤中の界面活性剤（Ａ）の割合を大きくすることで、例えば、洗浄剤組成物を汚れに塗布して洗浄する際に、塗布による優れた洗浄力が得られ、且つ引き続きすすぎや洗浄などの、水と接触する操作を行っても、洗浄剤組成物の増粘が抑制される。そして、洗浄剤組成物を塗布した後に接触させる水が、例えば、水道水などの場合、存在する金属炭酸塩などにより界面活性剤（Ａ）が中和され、その界面活性能がより向上するため、速やかに汚れを水中に乳化ないし分散させることができる。
【００１４】
界面活性剤（Ａ）としては、エーテルカルボン酸、不飽和脂肪酸、及び分岐鎖脂肪酸から選ばれる１種以上が挙げられる。
【００１５】
界面活性剤（Ａ）のエーテルカルボン酸としては、下記一般式（Ａ１）で表されるエーテルカルボン酸が挙げられる。
ＲＯ（ＡＯ）ｍ（ＣＨ２）ｎＣＯＯＨ      （Ａ１）
〔式中、Ｒは、炭素数４以上２２以下の炭化水素基であり、ＡＯは炭素数２以上４以下のアルキレンオキシ基であり、ｍは０以上２０以下の数であり、ｎは１以上３以下の数である。〕
一般式（Ａ１）中、Ｒの炭素数は、低濃度での洗浄性能発現の観点から、好ましくは８以上、より好ましくは１２以上、そして、好ましくは１８以下、より好ましくは１６以下である。また、Ｒの炭化水素基としては、アルキル基、アルケニル基が挙げられる。ＡＯは、工業的な入手可能性の観点から、好ましくは炭素数２以上３以下のアルキレンオキシ基、より好ましくは炭素数２のアルキレンオキシ基である。ｍは、高濃度での塗布洗浄性能発現および低濃度での洗浄性能発現の観点から、好ましくは１以上、より好ましくは２以上、そして、水での希釈時の増粘抑制の観点から、好ましくは１０以下、より好ましくは６以下の数である。ｎは、工業的な入手可能性の観点から、好ましくは１以上２以下の数、より好ましくは１である。
【００１６】
界面活性剤（Ａ）の不飽和脂肪酸としては、炭素数１２以上１８以下の不飽和脂肪酸が挙げられる。例えば、オレイン酸、リノール酸、リノレン酸、パルミトレイン酸が挙げられる。
【００１７】
界面活性剤（Ａ）の分岐鎖脂肪酸としては、炭素数１２以上１８以下の分岐鎖脂肪酸が挙げられる。例えば、イソステアリン酸、２−ヘキシルデカン酸、イソパルミチン酸、イソミリスチン酸が挙げられる。工業的な入手可能性の観点から、分岐鎖脂肪酸は、分岐鎖飽和脂肪酸が好ましい。
【００１８】
界面活性剤（Ａ）は、好ましくはエーテルカルボン酸、より好ましくは前記一般式（Ａ１）で表されるエーテルカルボン酸である。
【００１９】
界面活性剤（Ａ）以外の界面活性剤としては、界面活性剤（Ａ）以外の陰イオン界面活性剤、非イオン界面活性剤及び陽イオン界面活性剤から選ばれる１種以上の界面活性剤が挙げられる。界面活性剤（Ａ）以外の陰イオン界面活性剤としては、アルキル硫酸エステル塩、ポリオキシエチレンアルキル硫酸エステル塩、アルキルベンゼンスルホン酸塩、アルカンスルホン酸塩、α−オレフィンスルホン酸塩、α−スルホメチルエステル塩、アルキルスルホコハク酸塩、アシルイセチオン酸塩、Ｎ−アシル−メチルタウリン塩、アルキルリン酸エステル塩、ポリオキシエチレンアルキルエーテルリン酸エステル塩が挙げられる。非イオン界面活性剤としては、ポリオキシエチレンアルキルエーテル、ポリオキシエチレンアルキルフェニルエーテル、ポリオキシエチレン脂肪酸エステル、ポリオキシエチレンソルビタン脂肪酸エステル、グリセリン脂肪酸エステル、ソルビタン脂肪酸エステル、ポリグリセリン脂肪酸エステル、ショ糖脂肪酸エステル、アルキルポリグリコシドが挙げられる。陽イオン界面活性剤としては、アルキルアミン塩、脂肪酸アミドアミン塩、アルキル４級アンモニウム塩が挙げられる。
【００２０】
本発明の洗浄剤組成物は、界面活性剤を５０質量％を超えて含有する。本発明の洗浄剤組成物は、界面活性剤を、濃縮の観点、および高濃度での塗布洗浄性能発現の観点から、好ましくは６０質量％以上、より好ましくは７０質量％以上、更に好ましくは８０質量％以上、より好ましくは８５質量％以上、そして、工業的な入手可能性の観点から、好ましくは９８質量％以下、より好ましくは９５質量％以下含有する。
【００２１】
本発明の洗浄剤組成物は、全界面活性剤中、前記界面活性剤（Ａ）の割合が７０質量％以上、高濃度での塗布洗浄性能発現、水での希釈時の増粘抑制、および低濃度での洗浄性能発現の観点から、好ましくは８０質量％以上、より好ましくは９０質量％以上、そして、好ましくは１００質量％以下である。
【００２２】
本発明の洗浄剤組成物は、界面活性剤（Ａ）を、好ましくは４０質量％以上、高濃度での塗布洗浄性能発現、水での希釈時の増粘抑制、および低濃度での洗浄性能発現、の観点から、より好ましくは６０質量％以上、更に好ましくは７０質量％以上、より好ましくは８０質量％以上、そして、工業的な入手可能性の観点から、好ましくは９８質量％以下、より好ましくは９５質量％以下含有する。
【００２３】
本発明の洗浄剤組成物は、界面活性剤以外の成分を含有することができる。例えば、水、溶剤、香料、染料、保存料、保湿剤、抗菌剤、抗フケ剤、パール化剤、ビタミン剤、増粘剤、ｐＨ調整剤、漂白剤、キレート剤、水溶性塩類、及び油剤等が挙げられる。
【００２４】
本発明の洗浄剤組成物は、溶剤を含有することができるが、本発明の効果は洗浄剤組成物中に溶剤を含有しないとき、もしくは、溶剤の量が少ないときにより顕著に表れる。界面活性剤を高濃度に含有する濃縮タイプの洗浄剤組成物は、例えば、水に代えて溶剤の使用量を多くすることで得られる。しかし、本発明では、一般的な溶剤を使用せずに、あるいは使用量を低減して、界面活性剤の含有量を格段に増加させることができる。溶剤の含有量を低減できることは、環境への配慮という観点でも、より好ましいものとなる。本発明の洗浄剤組成物は、溶剤の含有量が、好ましくは２０質量％以下、より好ましくは１０質量％以下、更に好ましくは５質量％以下、より更に好ましくは２質量％以下である。また、本発明の洗浄剤組成物は、（溶剤の含有量）／（界面活性剤の含有量）の質量比が、好ましくは２０／１００以下、より好ましくは１０／１００以下、更に好ましくは５／１００以下、より更に好ましくは２／１００以下である。
【００２５】
本発明の洗浄剤組成物が界面活性剤以外に含有する成分は、水が好ましい。本発明の洗浄剤組成物は、水の含有量が、濃縮の観点、および高濃度での塗布洗浄性能発現の観点から、好ましくは３０質量％以下、より好ましくは２０質量％以下、更に好ましくは１０質量％以下、そして、洗浄剤組成物の製造の観点から、好ましくは０質量％以上、また、０質量％超である。
【００２６】
本発明の洗浄剤組成物は、界面活性剤の含有量と水の含有量の合計が、好ましくは５０質量％以上、より好ましくは６０質量％以上、更に好ましくは７０質量％以上である。
【００２７】
本発明の洗浄剤組成物は、高濃度での塗布洗浄性能発現の観点から、液体であることが好ましい。
【００２８】
本発明の洗浄剤組成物は、洗浄剤組成物を汚れに直接塗布する時の扱いやすさの観点から、２５℃での粘度が、好ましくは２０ｍＰａ・ｓ以上、より好ましくは５０ｍＰａ・ｓ以上、更に好ましくは１００ｍＰａ・ｓ以上、そして、好ましくは２０００ｍＰａ・ｓ以下、より好ましくは１０００ｍＰａ・ｓ以下、更に好ましくは５００ｍＰａ・ｓ以下、更に好ましくは３００ｍＰａ・ｓ以下である。
【００２９】
本発明の洗浄剤組成物は、水への分散性の観点から、水を含有した組成の粘度が低い方が好ましく、水が３０質量％含まれる時の粘度（Ｘ）が２５℃で、好ましくは４０００ｍＰａ・ｓ以下、より好ましくは２０００ｍＰａ・ｓ以下、更に好ましくは１０００ｍＰａ・ｓ以下である。
また、本発明の洗浄剤組成物は、水が５０質量％含まれる時の粘度（Ｙ）が２５℃で、好ましくは４０００ｍＰａ・ｓ以下、より好ましくは２０００ｍＰａ・ｓ以下、更に好ましくは１０００ｍＰａ・ｓ以下である。
【００３０】
本発明の洗浄剤組成物は、希釈水量３０質量％の希釈物の粘度が２５℃で、好ましくは４０００ｍＰａ・ｓ以下、より好ましくは２０００ｍＰａ・ｓ以下、更に好ましくは１０００ｍＰａ・ｓ以下である。ここで、希釈水量３０質量％とは、洗浄剤組成物と希釈のために追加で添加した水との合計中、追加で添加した水の割合が３０質量％であることを意味する。
また、本発明の洗浄剤組成物は、希釈水量５０質量％の希釈物の粘度が２５℃で、好ましくは４０００ｍＰａ・ｓ以下、より好ましくは２０００ｍＰａ・ｓ以下、更に好ましくは１０００ｍＰａ・ｓ以下である。ここで、希釈水量５０質量％とは、洗浄剤組成物と希釈のために追加で添加した水との合計中、追加で添加した水の割合が５０質量％であることを意味する。
【００３１】
本発明において、洗浄剤組成物及びその水希釈物の粘度は、いずれも、音叉型振動式粘度計（株式会社エー・アンド・デイ製 VIBRO VISCOMETER  SV-10）を用いて、撹拌開始から３分間（データ更新間隔：５秒）測定した粘度値の平均値である。
【００３２】
本発明の洗浄剤組成物は、繊維製品用、硬質表面用、皮膚用、毛髪用などの用途に用いることができる。衣料などの繊維製品用は好ましい用途である。また、本発明の洗浄剤組成物は、繊維製品などに直接塗布する、塗布型の洗浄剤組成物とすることもできる。
【００３３】
＜洗浄剤組成物の製造方法＞
本発明の洗浄剤組成物の製造方法は、界面活性剤を含有する洗浄剤組成物の製造方法であって、
界面活性剤を、全配合成分中、５０質量％を超える量で配合し、
界面活性剤として、カルボキシル基を有し且つ該カルボキシル基が未中和である界面活性剤（Ａ）を、全界面活性剤中、７０質量％以上の割合で配合する、
洗浄剤組成物の製造方法である。
【００３４】
界面活性剤及び界面活性剤（Ａ）の具体例及び好ましい態様は、本発明の洗浄剤組成物で述べたものと同じである。本発明の洗浄剤組成物で述べた事項は、本発明の洗浄剤組成物の製造方法に適宜適用することができる。
【００３５】
本発明の洗浄剤組成物の製造方法では、界面活性剤を、全配合成分中、５０質量％を超えて配合する。本発明の洗浄剤組成物の製造方法では、界面活性剤を、全配合成分中、好ましくは６０質量％以上、より好ましくは７０質量％以上、更に好ましくは８０質量％以上、より好ましくは８５質量％以上、そして、工業的な入手可能性の観点から、好ましくは９８質量％以下、より好ましくは９５質量％以下配合する。
【００３６】
本発明の洗浄剤組成物の製造方法では、界面活性剤（Ａ）を、全界面活性剤中、７０質量％以上、好ましくは８０質量％以上、より好ましくは９０質量％以上、そして、好ましくは１００質量％以下の割合で配合する。
【００３７】
本発明の洗浄剤組成物の製造方法では、界面活性剤（Ａ）を、全配合成分中、好ましくは４０質量％以上、より好ましくは６０質量％以上、更に好ましくは７０質量％以上、より好ましくは８０質量％以上、そして、工業的な入手可能性の観点から、好ましくは９８質量％以下、より好ましくは９５質量％以下配合する。
【００３８】
＜洗浄方法＞
本発明の洗浄方法は、本発明の洗浄剤組成物を汚れに直接塗布し、その後、水ですすぐ、洗浄方法である。
【００３９】
汚れは、繊維製品、硬質物品、身体（皮膚、毛髪など）などに付着した汚れを対象とすることができる。繊維製品は、衣料、シーツ、タオルなどが挙げられる。硬質物品は、食器、調理器具、浴槽、便器などが挙げられる。
【００４０】
また、本発明の洗浄剤組成物を汚れに直接塗布した後、高濃度での塗布洗浄性能発現の観点から、好ましくは５分以上、より好ましくは１０分以上、そして、実際の洗浄場面の観点から、好ましくは１２０分以下、より好ましくは６０分以下、放置する。放置する環境などを考慮して、更に長時間、例えば一昼夜（２４時間程度）の放置を行ってもよい。放置する温度は、高濃度での塗布洗浄性能発現の観点から、好ましくは１５℃以上、実際の洗浄場面の観点から、好ましくは３５℃以下である。
【００４１】
本発明の洗浄方法では、本発明の洗浄剤組成物を汚れに直接塗布した後、好ましくは前記条件で該物品を放置した後、水ですすぐ。すすぎは少なくとも本発明の洗浄剤組成物を塗布した部分について行う。
【００４２】
本発明の洗浄方法で衣料等の繊維製品を洗浄する場合を例にして説明する。
本発明は、本発明の洗浄剤組成物を、繊維製品の汚れた部分に直接塗布し、その後、水ですすぐ、繊維製品の洗浄方法を提供する。
繊維製品が衣料の場合、例えば、衣料１０ｃｍ２あたり、本発明の洗浄剤組成物を、好ましくは０．１ｇ以上、より好ましくは０．５ｇ以上、そして、好ましくは１０ｇ以下、より好ましくは１ｇ以下塗布することができる。
また、繊維製品が衣料の場合、例えば、衣料１ｋｇあたり、本発明の洗浄剤組成物を、好ましくは１ｇ以上、より好ましくは３ｇ以上、そして、好ましくは３０ｇ以下、より好ましくは２０ｇ以下塗布することができる。
塗布後は、通常の洗濯時と同様に、例えば、洗濯機に入れて洗浄、すすぎを行うことができる。
【００４３】
本発明の繊維製品の洗浄方法では、本発明の洗浄剤組成物を繊維製品の汚れた部分に直接塗布し、当該繊維製品を水中で洗浄（以下、低濃度洗浄という）した後、当該繊維製品を水ですすぐことができる。低濃度洗浄を行う前に、前記の時間、繊維製品を放置することが好ましい。低濃度洗浄では、例えば、水道水を用いることにより、前記の通り、繊維製品に塗布された本発明の洗浄剤組成物中の界面活性剤（Ａ）の界面活性能が向上して、洗浄剤として機能する。
低濃度洗浄では、本発明の洗浄剤組成物が塗布されていない他の繊維製品を加えて行うことができる。
本発明の洗浄剤組成物を繊維製品に塗布する量は、低濃度洗浄で用いる繊維製品の全量を考慮して決めることが好ましい。
また、低濃度洗浄では、本発明の洗浄剤組成物以外の他の洗浄剤を併用することもできる。
すすぎは、繊維製品の洗浄で行う、一般的な条件を採用できる。
【実施例】
【００４４】
＜配合成分＞
・Ａ−１：特開２０１３−８７１１２の製造例９の方法で製造したアルキルエーテルカルボン酸（エチレンオキシド平均付加モル数３．１、Ｃ１２／Ｃ１４混合アルキル基、固形分９３質量％）
・Ａ−２：ポリオキシエチレンラウリルエーテル酢酸（エチレンオキシド平均付加モル数４．５、花王株式会社製「アキポ  ＲＬＭ  ４５ＣＡ」、固形分９２質量％）
・Ａ−３：ポリオキシエチレンアルキルエーテル酢酸（エチレンオキシド平均付加モル数５、Ｃ１６／Ｃ１８混合アルキル基、花王株式会社製「アキポ  ＲＯ  ５０ＶＧ」、固形分９１質量％）
・Ａ−４：オレイン酸（東京化成工業株式会社製）（固形分：１００質量％）
・Ａ−５：２−ヘキシルデカン酸（東京化成工業株式会社製）（固形分：１００質量％）
・Ａ−６：Ａ−２を水酸化ナトリウムで中和度２０％に中和した界面活性剤
・Ａ’−１：Ａ−２を水酸化ナトリウムで中和度５０％に中和した界面活性剤
・ドデシル硫酸エステルナトリウム：MP Biomedicals社製、固形分１００質量％
・ポリオキシエチレンラウリルエーテル：エマルゲン１０９Ｐ（花王株式会社製、固形分１００質量％）
Ａ’−１は、界面活性剤（Ａ）を含有するものであるが、表１では、便宜的にその他の界面活性剤として示した。
【００４５】
＜洗浄剤組成物の調製＞
表１の組成となるように、ビーカーに上記配合成分とイオン交換水を入れ、ボルテックスミキサー（Scientific Industries社製、VORTEX GENIE 2）を用いて十分に混合し、洗浄剤組成物を調製した。表１中、界面活性剤の配合量は、固形分換算での質量％である。
【００４６】
＜評価＞
（１）洗浄剤組成物の粘度
洗浄剤組成物又は当該組成物に更に水道水を混合した水混合物（以下、水混合物という）の粘度を表１に示した。表１には、水混合物中の水の割合を示した。水混合物が洗浄剤組成物である場合もある。例えば、実施例１の洗浄剤組成物は、水道水を混合する前の状態において水を１０質量％含有する混合物でもあるため、表中、当該洗浄剤組成物の粘度と水混合物の「水１０質量％」の粘度とは一致している。なお、表中の「水３０質量％」、「水５０質量％」の粘度は、それぞれ、前述の粘度（Ｘ）、粘度（Ｙ）に相当する。
洗浄剤組成物又は水混合物を２４時間２５℃で静置し、その後、２５℃における粘度を、音叉型振動式粘度計（株式会社エー・アンド・デイ製 VIBRO VISCOMETER  SV-10）により測定した。撹拌開始から３分間連続して粘度の測定を行い（データ更新間隔：５秒）、その平均値を、洗浄剤組成物の水希釈物の粘度とした。結果を表１に示す。
【００４７】
（２）低濃度洗浄性試験
洗浄剤組成物を界面活性剤濃度が２００ｐｐｍとなるように、水道水で希釈し、１時間撹拌し洗浄液とした。汚染布には、白布（６ｃｍ×６ｃｍ）にスクアレン（東京化成工業株式会社製、スダンIIIで着色）０．１ｍLを塗布し、１時間６０℃で静置した後、２０℃で２４時間保管した布を用いた。洗浄試験では、Terg-O-Tometer（Ueshima社製 MS-8212）に上記洗浄液を入れ、２０℃とした後、汚染布３枚を入れ、８５ｒｐｍで１０分間撹拌した。洗浄後の汚染布を流水でよくすすぎ、脱水、乾燥させた。洗浄前後の汚染布の反射率を測色計（日本電色工業株式会社製 Spectro Color Meter SE2000）にて測定し、下記の式により算出した洗浄率の５枚の平均値を求めた。結果を表１に示す。
洗浄率［％］＝（Ｒｗ−Ｒｓ）／（Ｒ０−Ｒｓ）×１００
（Ｒｗ：洗浄後の反射率、Ｒｓ：洗浄前の反射率、Ｒ０：原布の反射率）
【００４８】
（３）油汚れとの相溶性
洗浄剤組成物と代表的な油汚れ成分であるスクアレン（東京化成工業株式会社製）とを質量比１：１で混合し、２５℃で静置した。その後の混合物の状態から下記の基準で判定した。結果を表１に示す。この評価はＡが最もよくＥが最も悪い。表中の評価がＡに近いものほど、油汚れに対する洗浄力、例えば、塗布洗浄による油汚れの洗浄力に優れると判断できる。
Ａ：混合直後は均一透明で、その後３日後まで変化なし
Ｂ：混合直後は均一白濁で、その後３日後まで変化なし
Ｃ：混合直後は均一白濁で、混合から１時間後も均一白濁で、混合から７時間後までに二層分離し、その後３日後まで変化なし
Ｄ：混合直後は均一白濁で、混合から１時間後までに二層分離し、その後３日後まで変化なし
Ｅ：混合直後にゲル状物質が形成され、その後３日後まで変化なし
【００４９】
【表１】
2019183079.tif 000002
【００５０】
＊  測定上限以上